(57)【特許請求の範囲】
【請求項１】
室内ユニットが天井面に埋め込まれるようにして設置される天井埋込型空気調和装置であって、
前記室内ユニットには、矩形をなす各辺部にそれぞれ対応して横長の吹出口が形成され、該吹出口には吹き出した空気を天井面に導く導風部が形成されるとともに該導風部の終端には空気の一部を堰き止める段部が形成され、さらに該段部の高さは前記吹出口の幅方向両端部において大きく、幅方向中央部に近づくほど漸次小さくなるように形成されていることを特徴とする天井埋込型空気調和装置。
【請求項２】
前記段部に繋がる前記導風部は、高さが変化する前記段部に連続するように、前記吹出口の幅方向および吹出方向のいずれについても曲面状をなして形成されていることを特徴とする請求項１記載の天井埋込型空気調和装置。
【請求項３】
室内ユニットが天井面に埋め込まれるようにして設置され、該室内ユニットに着脱可能に設けられた吸込グリルをこれに連結された複数のワイヤで吊持するとともに該ワイヤを巻き上げまたは送り出すことにより着脱する天井埋込型空気調和装置であって、
前記室内ユニットには、矩形をなす各辺部にそれぞれ対応して横長の吹出口が形成され、該吹出口には吹き出した空気を天井面に導く導風部が形成されるとともに該導風部の終端には空気の一部を堰き止める段部が形成され、さらに該段部の高さは前記吹出口の幅方向両端部において大きく、幅方向中央部に近づくほど漸次小さくなるように形成されていることを特徴とする天井埋込型空気調和装置。
【請求項４】
前記段部に繋がる前記導風部は、高さが変化する前記段部に連続するように、前記吹出口の幅方向および吹出方向のいずれについても曲面状をなして形成されていることを特徴とする請求項３記載の天井埋込型空気調和装置。
【発明の詳細な説明】
【０００１】
【発明の属する技術分野】
本発明は、室内ユニットを天井面に埋め込むようにして設置される天井埋込型空気調和装置に関するものである。
【０００２】
【従来の技術】
天井埋込型空気調和装置の室内ユニットの一例を図６に示す。図において、符号１は天井に埋設されたキャビネットであり、その内部には熱交換器２、ファン３、送風用モータ４、導風板５、ドレンパン６等が配置され、さらにキャビネット１にはその下部開口を覆うようにして天井パネル７が取り付けられている。
【０００３】
天井パネル７の中央には吸込口７ａが形成され、さらに吸込口７ａの両側には吹出口７ｂが形成されている。また、吸込口７ａには集塵のためのエアフィルタ８を組み合わされた吸込グリル９が填め込まれている。
【０００４】
この天井埋込型空気調和装置では、送風用モータ４を駆動させてファン３を回転させると、室内の空気が吸込グリル９、エアフィルタ８を通じて吸込口７ａから吸い込まれ、導風板５に案内されてファン３に吸入され付勢される。次いで、付勢された空気は熱交換器２を吹き抜ける過程で冷却または加熱され、所望の状態に調和されて吹出口７ｂから室内に吹き出されるようになっている。
【０００５】
【発明が解決しようとする課題】
上記のような構造の天井埋込型空気調和装置においては、次のような問題点が指摘されている。
天井埋込型空気調和装置はオフィス等の広いスペースの空調用として用いられるのが一般的である。そこで、このような広いスペース内でより均一な空気調和を図るために、調和された空気を吹出口７ｂから天井面に対して平行に近い角度で吹き出すようにしている。吹出口７ｂから吹き出された空気は天井面に沿って流れようとする性質があるので、これを利用して調和空気をより遠くまで行き届かせるようにしているのである（これを天井効果という）。
【０００６】
ところで、この天井効果を利用すると、吹き出された空気に触れる天井面に汚れが付着するという弊害が生じる。吸込口７ａから吸入される空気は、エアフィルタ８を通過する過程で集塵されるが、例えばたばこのヤニ成分のように非常に微細な汚れは完璧には集塵されず、いくらかは吹出口７ｂから再度室内に戻されてしまう。このとき、調和空気は天井面の所定の範囲に常時連続して吹き付けられるようになるので、所定範囲の天井面に上記のような汚れが付着するのである。
この汚れは吹き出される空気の速度が比較的遅い吹出口７ｂの両端部で顕著であり、天井パネル７の周囲に模様を描いたようになるため、清掃に余計な手間が必要になるだけでなく室内の美観を損ねるといった問題がある。
【０００７】
本発明は上記の事情に鑑みてなされたものであり、天井面に汚れが付着し難く、室内の美観を損ねることのない天井埋込型空気調和装置を提供することを目的としている。
【０００８】
【課題を解決するための手段】
上記の課題を解決するための手段として、次のような構造の天井埋込型空気調和装置を採用する。すなわち、本発明に係る請求項１記載の天井埋込型空気調和装置は、室内ユニットが天井面に埋め込まれるようにして設置される天井埋込型空気調和装置であって、前記室内ユニットには、矩形をなす各辺部にそれぞれ対応して横長の吹出口が形成され、該吹出口には吹き出した空気を天井面に導く導風部が形成されるとともに該導風部の終端には空気の一部を堰き止める段部が形成され、さらに該段部の高さは前記吹出口の幅方向両端部において大きく、幅方向中央部に近づくほど漸次小さくなるように形成されていることを特徴としている。
【０００９】
請求項２記載の天井埋込型空気調和装置は、請求項１記載の天井埋込型空気調和装置において、前記段部に繋がる前記導風部が、高さが変化する前記段部に連続するように、前記吹出口の幅方向および吹出方向のいずれについても曲面状をなして形成されていることを特徴としている。
【００１０】
請求項３記載の天井埋込型空気調和装置は、室内ユニットが天井面に埋め込まれるようにして設置され、該室内ユニットに着脱可能に設けられた吸込グリルをこれに連結された複数のワイヤで吊持するとともに該ワイヤを巻き上げまたは送り出すことにより着脱する天井埋込型空気調和装置であって、前記室内ユニットには、矩形をなす各辺部にそれぞれ対応して横長の吹出口が形成され、該吹出口には吹き出した空気を天井面に導く導風部が形成されるとともに該導風部の終端には空気の一部を堰き止める段部が形成され、さらに該段部の高さは前記吹出口の幅方向両端部において大きく、幅方向中央部に近づくほど漸次小さくなるように形成されていることを特徴としている。
【００１１】
請求項４記載の天井埋込型空気調和装置は、請求項３記載の天井埋込型空気調和装置において、前記段部に繋がる前記導風部は、高さが変化する前記段部に連続するように、前記吹出口の幅方向および吹出方向のいずれについても曲面状をなして形成されていることを特徴としている。
【００１２】
本発明に係る天井埋込型空気調和装置においては、導風部の終端に空気の一部を堰き止める段部を形成することにより、吹出口から吹き出される空気の流れが天井面から離れて斜め下方に向かうようになり、天井に沿う空気の流れが減少して天井に汚れが付着し難くなる。
【００１３】
さらに、段部の高さを吹出口の幅方向両端部において大きく、幅方向中央部に近づくほど漸次小さくなるように形成することにより、汚れが付着し易い吹出口両端部ほど天井に沿う空気の流れが少なくなって汚れの付着が防止され、汚れが付着し難い吹出口中央部ではほとんど減少せずに天井効果が十分に生かされる。
【００１４】
また、本発明に係る天井埋込型空気調和装置においては、段部に繋がる導風部を、高さが変化する段部に連続するように、吹出口の幅方向および吹出方向のいずれについても曲面状に形成することにより、吹出口から吹き出される空気の流れが両端に近づくにつれて徐々に斜め下方に向かい、両側から回り込むようにして吹出口中央部から吹き出される空気の流れに巻き込まれ、あたかも渦を巻くような三次元的な空気の流れが形成される。これにより、汚れが防止されるとともに天井効果による調和空気の到達距離が延長される。
【００１５】
【発明の実施の形態】
本発明に係る天井埋込型空気調和装置の実施形態を図１ないし図５に示して説明する。
天井埋込型空気調和装置の室内ユニットの構造を図１に示す。図において、符号１１は天井に埋設されたキャビネットであり、その内部には熱交換器１２、ファン１３、送風用モータ１４、導風板１５、ドレンパン１６等が配置され、さらにキャビネット１１にはその下部開口を覆うようにして天井パネル１７が取り付けられている。
【００１６】
天井パネル１７の中央には矩形の吸込口１７ａが形成され、さらに吸込口１７ａの周囲には、矩形をなす各辺部にそれぞれ対応して横長の吹出口１７ｂが形成されている。
【００１７】
吸込口１７ａには、集塵のためのエアフィルタ１８を組み合わされた吸込グリル１９が填め込まれている。吹出口１７ｂには、調和された空気の吹出方向を変化させる可動フィン１７ｃが設けられている。
【００１８】
この天井埋込型空気調和装置には、エアフィルタ１８の交換や吸込グリル１９の清掃を簡単に行えるように、吸込グリル１９をワイヤで吊り下げて昇降させる機構が設けられている。図２に示すように、キャビネット１１には正逆転可能なモータ２０が固定されており、各モータ２０の回転軸に固定されたプーリ２１にワイヤ２２が巻回され、さらにワイヤ２２の先端が吸込口１７ａの四隅の１箇所に設置されたガイド２３ａ、吸込グリル１９の四隅の隣り合う２箇所に設置されたガイド２３ｂ，２３ｂに順に通され、さらにガイド２３ａに隣り合う吸込口１７ａの四隅の１箇所に固定されている。そして、ワイヤ２２を巻き上げることで吸込グリル１９を上昇させて吸込口１７ａに填め込み、ワイヤ２２を送り出すことで吸込グリル１９を吸込口１７ａから外して降下させるようになっている。なお、モータ２０はキャビネット１１にではなく、天井パネル１７等、室内ユニットを構成するその他の部材に固定されていても構わない。
【００１９】
上記天井埋込型空気調和装置では、送風用モータ１４を駆動させてファン１３を回転させると、室内の空気が吸込グリル１９、エアフィルタ１８を通じて吸込口１７ａから吸い込まれ、導風板５に案内されてファン１３に吸入され付勢される。次いで、付勢された空気は熱交換器１２を吹き抜ける過程で冷却または加熱され、所望の状態に調和されて吹出口１７ｂから室内に吹き出されるようになっている。
【００２０】
本実施形態において、吹出口１７ｂには、吹き出した空気を天井面に導く導風部２４が形成され、導風部２４の終端には空気の一部を堰き止めるように段部２５が形成されている。段部２５はその高さが吹出口１７ｂの幅方向両端部（図４(ａ)参照）において大きく、幅方向中央部に近づくほど漸次小さく（図４(ｂ)参照）形成されている。
【００２１】
また、段部２５に繋がる導風部２４は、高さが変化する段部２５に連続するように、吹出口１７ｂの幅方向および吹出方向のいずれについても曲面状をなしており、図３に示すようにあたかも球面の一部をなすように形成されている。
【００２２】
上記のように構成された天井埋込型空気調和装置においては、吹出口１７ｂから吹き出される空気の流れが段部２５に堰き止められ、天井面から離れて斜め下方に向かうようになり、天井に沿う空気の流れが減少して天井に汚れが付着し難くなる。
【００２３】
さらに、段部２５の高さを吹出口１７ｂの幅方向両端部において大きく、幅方向中央部に近づくほど漸次小さくなるように形成することにより、汚れが付着し易い吹出口１７ｂ両端部ほど天井に沿う空気の流れが少なくなって汚れの付着が防止され、汚れが付着し難い吹出口１７ｂ中央部ではほとんど減少せずに天井効果が十分に生かされる。
【００２４】
また、段部２５に繋がる導風部２４をあたかも球面をなすように形成することにより、吹出口１７ｂから吹き出される空気の流れが両端に近づくにつれて徐々に斜め下方に向かい、両側から回り込むようにして吹出口１７ｂ中央部から吹き出される空気の流れに巻き込まれ、図５に示すようにあたかも渦を巻くような三次元的な空気の流れが形成される。これにより、天井面の汚れが防止されるとともに天井効果による調和空気の到達距離が延長される。
【００２５】
なお、本実施形態においては、吸込グリル１９を昇降させてメインテナンス作業を行い易くした構造を有する天井埋込型空気調和装置について説明したが、本発明に係る天井埋込型空気調和装置はこういった吸込グリルの昇降機構を備えるものに限らず、通常の着脱式吸込グリルを備えるものについても実施可能である。
【００２６】
【発明の効果】
以上説明したように、本発明に係る天井埋込型空気調和装置によれば、導風部の終端に空気の一部を堰き止める段部を形成することにより、吹出口から吹き出される空気の流れが天井面から離れて斜め下方に向かうようになり、天井に沿う空気の流れが減少して天井に汚れが付着し難くなるので、室内の美観を保つことができる。
【００２７】
さらに、段部の高さを吹出口の幅方向両端部において大きく、幅方向中央部に近づくほど漸次小さくなるように形成することにより、汚れが付着し易い吹出口両端部ほど天井に沿う空気の流れが少なくなって汚れの付着が防止され、汚れが付着し難い吹出口中央部ではほとんど減少せずに天井効果が十分に生かされる。
【００２８】
また、本発明に係る天井埋込型空気調和装置によれば、段部に繋がる導風部を、高さが変化する段部に連続するように、吹出口の幅方向および吹出方向のいずれについても曲面状に形成することにより、吹出口から吹き出される空気の流れが両端に近づくにつれて徐々に斜め下方に向かい、両側から回り込むようにして吹出口中央部から吹き出される空気の流れに巻き込まれ、あたかも渦を巻くような三次元的な空気の流れが形成される。これにより、汚れが防止されつとともに天井効果による調和空気の到達距離が延長されるので、天井面への汚れの付着を防止しながらも高い送風能力が得られる。
【図面の簡単な説明】
【図１】  本発明に係る天井埋込型空気調和装置の実施形態を示す図であって、天井に設置される室内ユニットの側断面図である。
【図２】  室内ユニットに具備される吸込グリルの昇降機構を示す斜視図である。
【図３】  天井パネルに設けられる吹出口とその周辺の構造を示す斜視図である。
【図４】  図３におけるIV(ａ)-IV(ａ)線矢視断面図、ならびにIV(ｂ)-IV(ｂ)線矢視断面図である。
【図５】  吹出口から吹き出される調和空気の流れを示す状態説明図である。
【図６】  従来の天井埋込型空気調和装置における室内ユニットの側断面図である。
【符号の説明】
１７      天井パネル
１７ｂ    吹出口
２４      導風部
２５      段部
【図１】
0003957927.tif 000002
【図２】
0003957927.tif 000003
【図３】
0003957927.tif 000004
【図４】
0003957927.tif 000005
【図５】
0003957927.tif 000006
【図６】
0003957927.tif 000007